【事件の表示】
　特願２０００−５６５４８５「出荷及び受領情報を整合させるための単一のバーコードを使用するシステム並びに方法」拒絶査定不服審判事件〔平成１２年　２月２４日国際公開、ＷＯ００／１０１１１、平成１４年　７月２３日国内公表、特表２００２−５２２３２７〕について、次のとおり審決する。
【結　論】
　本件審判の請求は、成り立たない。
【理　由】
　
第１　手続の経緯
　
　本件出願は、１９９９年８月１３日（パリ条約による優先権主張外国庁受理１９９８年８月１４日、米国）を国際出願日とする出願であって、平成１３年２月１３日付けで国内書面が提出されるとともに明細書、図面及び要約書の日本語による翻訳文が提出され、平成２１年１２月３日付けの拒絶理由通知に対して平成２２年３月４日付けで意見書及び明細書について補正する手続補正書が提出されたが、平成２２年９月７日付けで拒絶査定がなされ、これに対し、平成２３年１月１３日に拒絶査定に対する審判請求がなされると同時に同日付けで明細書について補正する手続補正書が提出され、その後、当審における平成２３年６月１３日付けの書面による審尋に対し平成２３年１０月１２日付けで回答書が提出されたものである。
　
第２　平成２３年１月１３日付けの手続補正についての補正却下の決定
　
［補正却下の決定の結論］
　
　平成２３年１月１３日付けの手続補正を却下する。
　
［理由］
　
［１］補正の内容
　
　平成２３年１月１３日付けの手続補正書による手続補正（以下、「本件補正」という。）は、明細書における特許請求の範囲に関して、本件補正により補正される前の（すなわち、平成２２年３月４日付けの手続補正により補正された明細書における）特許請求の範囲の下記（ａ）に示す請求項１ないし１０を、下記（ｂ）に示す請求項１ないし１０と補正するものである。
　
（ａ）本件補正前の特許請求の範囲
　
「【請求項１】
　単一のバーコードを荷札に使用して供給者と顧客との間の出荷及び受領情報を整合する方法であって、
　ディジタル通信リンクによって顧客のディジタルプロセッサから製品データベースを含む供給者のディジタルプロセッサにアクセスする過程と、
　前記製品データベースに提供された項目から購入注文品に関する購入及び出荷情報を前記顧客のディジタルプロセッサから前記ディジタル通信リンクを介して選択及び入力する過程と、
　前記顧客のディジタルプロセッサから前記供給者のディジタルプロセッサに対して前記購入注文の顧客に対する即時出荷を許可指令によって許可する過程と、
　前記許可指令に応じて、前記購入注文に関する複数の予め決定された適切な購入及び出荷情報を単一のバーコードとして荷札上に生成する過程とを含むことを特徴とする方法。
【請求項２】
　購入注文に関する前記購入及び出荷情報には、顧客の氏名及び住所、出荷伝票番号、購入注文番号、箱の数量、製品の数量、顧客側番号、製造者側番号、並びに出荷日のうちの少なくとも２つが含まれることを特徴とする請求項１に記載の方法。
【請求項３】
　前記選択過程が、
　データベースに列挙された製品を最初に選択する過程と、
　供給者のディジタルプロセッサから顧客のディジタルプロセッサに対して、最初に選択された何れの製品が即時出荷のための許可を受け得るかを送信する過程とを含むことを特徴とする請求項１に記載の方法。
【請求項４】
　前記顧客のディジタルプロセッサと前記供給者のディジタルプロセッサとが、インターネット上で顧客／供給者ウェブサイトを介して互いに通信することを特徴とする請求項１に記載の方法。
【請求項５】
　前記顧客のディジタルプロセッサと前記供給者のディジタルプロセッサとが、電子データ交換技術（EDI）を介して互いに通信することを特徴とする請求項１に記載の方法。
【請求項６】
　前記顧客のディジタルプロセッサと前記供給者のディジタルプロセッサとが、X.12856伝送プロトコルを使用する電子データ交換技術（EDI）を介して互いに通信することを特徴とする請求項１に記載の方法。
【請求項７】
　単一のバーコード荷札を使用して供給者と顧客との間の出荷及び受領情報を整合するシステムであって、
　製品データベースを含む供給者のディジタルプロセッサと、
　前記製品データベースに提供された項目を選択し、購入注文に関する購入及び出荷情報を入力し、更に許可指令によって前記購入注文の即時出荷を許可するために、通信リンクを介して前記供給者のディジタルプロセッサに接続された顧客のディジタルプロセッサと、
　前記許可指令に応じて、前記購入注文に関する複数の予め決定された適切な購入及び出荷情報に関連する単一のバーコードを含む荷札を生成するために、前記供給者のディジタルプロセッサに接続されたバーコード生成手段とを含むことを特徴とするシステム。
【請求項８】
　前記製品注文情報には、顧客の氏名及び住所、顧客の出荷伝票番号、購入注文番号、箱の数量、製品の数量、顧客側番号、製造者側番号、並びに出荷日のうちの少なくとも２つが含まれることを特徴とする請求項７に記載の方法。
【請求項９】
　単一のバーコード荷札を使用して供給者と顧客との間の出荷及び受領情報を整合するシステムであって、
　ディジタル通信リンクによって顧客のディジタルプロセッサから製品データベースを含む供給者のディジタルプロセッサにアクセスする手段と、
　前記ディジタル通信リンクを介して前記製品データベースに提供された項目から購入注文品に関する購入及び出荷情報を選択及び入力する手段と、
　許可指令によって前記購入注文品の即時出荷を許可する手段と、
　前記許可指令に応じて、前記購入注文に関する複数の予め決定された適切な購入及び出荷情報に関連する単一のバーコードを荷札に生成する手段とを含むことを特徴とするシステム。
【請求項１０】
　前記複数の予め決定された適切な購入及び出荷情報を検索するために前記バーコード荷札を走査するための手段を更に含むことを特徴とする請求項９に記載のシステム。」
　
（ｂ）本件補正後の特許請求の範囲
　
「【請求項１】
　単一のバーコードを荷札に使用して供給者と顧客との間の出荷及び受領情報を整合する方法であって、
　ディジタル通信リンクによって顧客のディジタルプロセッサから製品データベースを含む供給者のディジタルプロセッサにアクセスする過程と、
　前記製品データベースに提供された項目から購入注文品に関する購入及び出荷情報を前記顧客のディジタルプロセッサから前記ディジタル通信リンクを介して選択及び入力する過程と、
　前記顧客のディジタルプロセッサから前記供給者のディジタルプロセッサに対して前記購入注文の顧客に対する即時出荷を許可指令によって許可する過程と、
　前記許可指令に応じて、前記購入注文に関する複数の予め決定された適切な購入及び出荷情報を単一のバーコードとして荷札上に生成する過程とを含
み、前記供給者のディジタルプロセッサ又は前記顧客のディジタルプロセッサにより前記バーコードを走査することにより前記製品データベースにアクセスし前記購入及び出荷情報と出荷された前記購入注文品とを照合する
【請求項２】
　購入注文に関する前記購入及び出荷情報には、顧客の氏名及び住所、出荷伝票番号、購入注文番号、箱の数量、製品の数量、顧客側番号、製造者側番号、並びに出荷日のうちの少なくとも２つが含まれることを特徴とする請求項１に記載の方法。
【請求項３】
　前記選択過程が、
　データベースに列挙された製品を最初に選択する過程と、
　供給者のディジタルプロセッサから顧客のディジタルプロセッサに対して、最初に選択された何れの製品が即時出荷のための許可を受け得るかを送信する過程とを含むことを特徴とする請求項１に記載の方法。
【請求項４】
　前記顧客のディジタルプロセッサと前記供給者のディジタルプロセッサとが、インターネット上で顧客／供給者ウェブサイトを介して互いに通信することを特徴とする請求項１に記載の方法。
【請求項５】
　前記顧客のディジタルプロセッサと前記供給者のディジタルプロセッサとが、電子データ交換技術（EDI）を介して互いに通信することを特徴とする請求項１に記載の方法。
【請求項６】
　前記顧客のディジタルプロセッサと前記供給者のディジタルプロセッサとが、X.12856伝送プロトコルを使用する電子データ交換技術（EDI）を介して互いに通信することを特徴とする請求項１に記載の方法。
【請求項７】
　単一のバーコード荷札を使用して供給者と顧客との間の出荷及び受領情報を整合するシステムであって、
　製品データベースを含む供給者のディジタルプロセッサと、
　前記製品データベースに提供された項目を選択し、購入注文に関する購入及び出荷情報を入力し、更に許可指令によって前記購入注文の即時出荷を許可するために、通信リンクを介して前記供給者のディジタルプロセッサに接続された顧客のディジタルプロセッサと、
　前記許可指令に応じて、前記購入注文に関する複数の予め決定された適切な購入及び出荷情報に関連する単一のバーコードを含む荷札を生成するために、前記供給者のディジタルプロセッサに接続されたバーコード生成手段とを含
み、前記供給者のディジタルプロセッサ又は前記顧客のディジタルプロセッサにより前記バーコードを走査することにより前記製品データベースにアクセスし前記購入及び出荷情報と出荷された前記購入注文品とを照合する
【請求項８】
　前記製品注文情報には、顧客の氏名及び住所、顧客の出荷伝票番号、購入注文番号、箱の数量、製品の数量、顧客側番号、製造者側番号、並びに出荷日のうちの少なくとも２つが含まれることを特徴とする請求項７に記載の方法。
【請求項９】
　単一のバーコード荷札を使用して供給者と顧客との間の出荷及び受領情報を整合するシステムであって、
　ディジタル通信リンクによって顧客のディジタルプロセッサから製品データベースを含む供給者のディジタルプロセッサにアクセスする手段と、
　前記ディジタル通信リンクを介して前記製品データベースに提供された項目から購入注文品に関する購入及び出荷情報を選択及び入力する手段と、
　許可指令によって前記購入注文品の即時出荷を許可する手段と、
　前記許可指令に応じて、前記購入注文に関する複数の予め決定された適切な購入及び出荷情報に関連する単一のバーコードを荷札に生成する手段とを含
み、前記供給者のディジタルプロセッサ又は前記顧客のディジタルプロセッサにより前記バーコードを走査することにより前記製品データベースにアクセスし前記購入及び出荷情報と出荷された前記購入注文品とを照合する
【請求項１０】
　前記複数の予め決定された適切な購入及び出荷情報を検索するために前記バーコード荷札を走査するための手段を更に含むことを特徴とする請求項９に記載のシステム。」
（なお、下線は請求人が付したものである。）
　
［２］本件補正の目的
　
　本件補正は、特許請求の範囲の請求項１については、本件補正前の請求項１における「・・・・・生成する過程とを含むことを特徴とする・・・・・」の記載を、「・・・・・生成する過程とを含
み、前記供給者のディジタルプロセッサ又は前記顧客のディジタルプロセッサにより前記バーコードを走査することにより前記製品データベースにアクセスし前記購入及び出荷情報と出荷された前記購入注文品とを照合する
み、前記供給者のディジタルプロセッサ又は前記顧客のディジタルプロセッサにより前記バーコードを走査することにより前記製品データベースにアクセスし前記購入及び出荷情報と出荷された前記購入注文品とを照合する
み、前記供給者のディジタルプロセッサ又は前記顧客のディジタルプロセッサにより前記バーコードを走査することにより前記製品データベースにアクセスし前記購入及び出荷情報と出荷された前記購入注文品とを照合する
　したがって、特許請求の範囲の請求項１、７及び９についての本件補正は、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正によって補正された特許請求の範囲の請求項７に係る発明（以下、「本件補正発明」という。）が特許出願の際に独立して特許を受けることができるものであるかについて、以下に検討する。  
　
［３］独立特許要件の判断  
　
１．引用文献
　
（１）引用文献１の記載事項
　
　原査定の拒絶理由に引用された特開平１０−２０７９６３公報（以下、「引用文献１」という。）には、図面とともに次の事項が記載されている。
　
（ａ）「【０００１】
【発明の属する技術分野】本発明は、サーバから端末に対して商品情報を送信し、端末において選択された購入希望商品の情報をサーバに返送する電子ショッピングシステムに関する。」（段落【０００１】）
　
（ｂ）「【００１３】
【課題を解決するための手段】請求項１によれば、サーバ及びその端末から成り、サーバから端末に対して商品情報を送信する電子ショッピングシステムにおいて、端末で選択された購入希望商品の情報に基づいてサーバ側で現在のショッピング状況を示す仮買い物情報を作成し、かつこの仮買い物情報を端末に送信する仮買い物手段を備えた電子ショッピングシステムである。」（段落【００１３】）
　
（ｃ）「【００２０】電子ショッピングシステムの全体構成を説明すると、電子ショッピングの主幹会社には、サーバ１が配置されている。このサーバ１には、通信網としてインターネット２を介して複数のショッピング用端末装置３−１〜３−ｎが接続されている。
【００２１】これらショッピング用端末装置３−１〜３−ｎは、サーバ１からの商品情報を受信し、この商品情報から選択した購入希望商品情報をサーバ１に返送する機能を有している。
【００２２】又、サーバ１には、商品販売店の端末４、カード会社処理装置５及び証明書発行装置６が接続されている。商品販売店の端末４は、サーバ１からの発注情報を受けて、この発注された商品をユーザに発送するところの端末である。」（段落【００２０】ないし【００２２】）
　
（ｄ）「【００２７】次にショッピング用端末装置３−１〜３−ｎ及びサーバ１の具体的な構成について図２を参照して説明する。ショッピング用端末装置３−１〜３−ｎの主制御部１０には、通信部１１からインターネット２を介してサーバ１が接続され、かつ駆動部１２を介してディスプレイ１３、入出力部１４を介してキーボード１５及びマウス１６及びメモリ１７が接続されている。
【００２８】又、これらショッピング用端末装置３−１〜３−ｎには、主制御部１０の指令により動作する認証部１８ａが備えられている。この認証部１８ａは、サーバ１との間において互いに認証を行い、両者の認証が正しい場合にのみサーバ１との間で接続を行い、このサーバ１との間で情報の送受信を許可する機能を有している。
【００２９】一方、サーバ１は、認証部１８ｂ、仮買い物部１９、データ改変防止部２０、ショッピング確認部２１及び補足演算部２２の各機能を有し、さらにはメモリ２３、ディスプレイ２４を備えている。」（段落【００２７】ないし【００２９】）
　
（ｅ）「【００４９】仮買い物部１９は、ショッピング用端末装置３−１〜３−ｎから送信されてくる購入希望商品情報をディスプレイ２４に表示し、かつショッピング用端末装置３−１〜３−ｎ側で購入希望商品が選択された場合、実際の買い物かごを仮想したショッピングバックをメモリ２３上で作成し、このショッピングバック内に購入希望商品を入れ、かつショッピングバック内に入っている商品の情報を、現在のショッピング状況を示す仮買い物情報として一時的にメモリ２３に保持するとともにディスプレイ２４に表示する機能を有している。
【００５０】データ改変防止部２０は、ショッピング用端末装置３−１〜３−ｎから送信された商品情報とサーバ１で持っている本来の商品情報とを比較し、商品に関する本質的な情報が異なっていれば、本来の商品情報と異なっている旨をメッセージとしてショッピング用端末装置に返送し、さらには警報を発する機能を有している。
【００５１】ショッピング確認部２１は、商品情報から選択された最新の購入希望商品の情報をメモリ２３に記憶し、次にショッピング用端末装置３−１〜３−ｎから送られてくる購入希望商品情報と最新の購入希望商品情報との整合性が取れていなければ、その旨をメッセージとしてショッピング用端末装置３−１〜３−ｎに返送する機能を有している。
【００５２】補足演算部２２は、商品情報のうち商品に関する補足情報、例えば商品の価格や送料等を記憶し、この補足情報を購入希望商品情報に基づいて演算処理して購入希望商品の総額、送料、これら購入希望商品の総額及び送料などを含めた合計額を求める機能を有している。
【００５３】次に上記の如く構成された装置の作用について説明する。サーバ１は、常にインターネット２上に複数の商品を含む商品情報を送信している。」（段落【００４９】ないし【００５３】）
　
（ｆ）「【００６６】このようにしてサーバ１とショッピング用端末装置３−１との間で互いに認証が正しいとされると、これらサーバ１とショッピング用端末装置３−１との間は、インターネット２を介して接続され、サーバ１から送信された商品情報がショッピング用端末装置３−１に受信される。
【００６７】このショッピング用端末装置３−１は、サーバ１からの商品情報を受信し、これをメモリ１７に記憶し、かつディスプレイ１３に表示する。ここで、商品販売店が例えば書店であれば、書籍の商品情報がディスプレイ１３に表示される。
【００６８】先ず、ディスプレイ１３は、商品情報に含まれている複数の書籍の一覧が表示される。ユーザは、これら書籍の一覧からマウス１６等を操作して所望する書籍を選択すると、ディスプレイ１３には、例えば図７に示すような書籍の内容等を示す情報が表示される。
【００６９】この書籍の表示欄には、例えば、書籍のタイトル「○△○△物語」、著者「××××著」、書籍コード「５−２１３−５４３２−１」、書籍のサイズ「Ｂ５変型」、頁数「３０１ページ」、定価「２４００円」、書籍の表紙、書籍の内容「本書は、……の物語である。」などが表示される。
【００７０】又、書籍の表示欄の下方には、この書籍「○△○△物語」の目次を見るための「目次を見る」選択項目、サーバ１側で実際の買い物かごを仮想したショッピングバック内に入っている商品、ここでは書籍を見るための「ショッピングバックを見る」選択項目、ショッピングバック内に購入希望の商品を入れる「ショッピングバックに入れる」項目が表示され、これら選択項目がマウス等の操作により選択できるようになっている。
【００７１】ここで、「ショッピングバックを見る」選択項目が選択されると、これがサーバ１側に送信され、サーバ１の仮買い物部１９は、メモリ２３に記憶されているショッピングバック内の購入希望商品の情報を検索し、この検索の結果、ショッピングバック内に購入希望商品が入っていなければ、図８に示すようなショッピングバック情報「あなたのショッピングバックには現在何も商品が入っていません」のメッセージをショッピング用端末装置３−１に送信する。
【００７２】これにより、ショッピング用端末装置３−１のディスプレイ１３には、ショッピングバック情報「あなたのショッピングバックには現在何も商品が入っていません」のメッセージが表示される。
【００７３】このショッピングバック情報の表示において、ユーザが「ショッピングに戻る」選択項目をマウス１６等により選択すると、再び図７に示す書籍「○△○△物語」の表示に戻る。
【００７４】この表示で、ユーザが「ショッピングバックに入れる」選択項目を選択すると、これがサーバ１側に送信され、サーバ１の仮買い物部１９は、ショッピングバック内に書籍「○△○△物語」を購入希望商品の情報として入れ、かつ現在のショッピング状況を示す仮買い物情報として一時的にメモリ２３に保持する。
【００７５】再び、ユーザが「ショッピングバックを見る」選択項目を選択すると、同仮買い物部１９は、メモリ２３に記憶されているショッピングバック内の購入希望商品の情報を検索し、図９に示すような現在までのショッピング状況をショッピング用端末装置３−１に送信する。これにより、ショッピング用端末装置３−１のディスプレイ１３には、図９に示す現在までのショッピング状況がディスプレイ１３に表示される。
【００７６】このショッピング状況の表示例では、購入希望商品として商品名「○△○△物語」及び「○□○□辞典」をショッピングバック内に入れた例である。又、このショッピング状況の表示例には、サーバ１の補足演算部２２によって、これら書籍に関する補足情報、すなわち商品コード、単価、消費税、数量が表示されている。」（段落【００６６】ないし【００７６】）
　
（ｇ）「【００８９】これにより、ショッピング用端末装置３−１のディスプレイ１３には、かかる現在までのショッピング状況がディスプレイ１３に表示される。次に現在までのショッピング状況の表示状態、例えば図９に示すショッピング状況の表示において、ユーザが「申込書記入」の選択項目を選択すると、これがサーバ１側に送信され、サーバ１の仮買い物部１９は、図１２に示すような申込書としての会員＆商品発送情報入力をショッピング用端末装置３−１に送信する。
【００９０】これにより、ショッピング用端末装置３−１のディスプレイ１３には、かかる会員＆商品発送情報入力がディスプレイ１３に表示される。この会員＆商品発送情報入力には、会員ＩＤ、パスワード、商品のお届け先、さらには自宅以外の届け先の場合のために名前、郵便番号、住所、電話番号の各入力欄がある。
【００９１】なお、「申込書確認」、「申込取消」、「リセット」の各選択項目が表示されている。この会員＆商品発送情報入力へのキー入力が終了し、ユーザが「申込書確認」を選択すると、これがサーバ１側に送信され、サーバ１の仮買い物部１９は、会員＆商品発送情報入力にキー入力した会員ＩＤ及びパスワードと、予め登録されているユーザの電子証明書、会員ＩＤ、パスワードとを比較し、キー入力された会員ＩＤ及びパスワードが正しいか否かを判断する。
【００９２】この判断の結果、キー入力された会員ＩＤ及びパスワードが正しくなければ、仮買い物部１９は、図１３に示すような会員ＩＤ＆パスワードエラーとして、「あなたの入力した会員ＩＤ又はパスワードが正しくありません。確認して正しい会員ＩＤとパスワードを入力してください。」のメッセージをショッピング用端末装置３−１に送信する。これにより、この端末装置３−１のディスプレイ１３には、かかるメッセージが表示される。
【００９３】これに対して、キー入力した会員ＩＤ及びパスワードが正しければ、同仮買い物部１９は、図１４に示すような商品リストをショッピング用端末装置３−１に送信し、この端末装置３−１のディスプレイ１３に表示させる。
【００９４】この商品リストは、購入希望商品として商品名「○△○△物語」及び「○□○□辞典」、商品コード、単価、消費税、数量、又購入先、小計（税込み）、配送料金、合計、総額、さらには依頼主、支払い方法、配達先氏名、配達先住所から成っている。
【００９５】なお、支払い方法は、一括払い、分割払いなどの各種支払い方法を選択できるようになっている。そして、ユーザが「申し込み」選択項目を選択すると、これがサーバ１側に送信され、このサーバ１の仮買い物部１８は、商品購入があったと判断し、この後、主制御部１０の指令により、上記商品リストが購入希望商品情報として、ユーザＩＤ番号やユーザ個人情報等と共に暗号文情報に変換してショッピング用端末装置３−１に送信する。
【００９６】このサーバ１は、インターネット２上でショッピング用端末装置３−１から送信されたユーザＩＤ番号、ユーザ個人情報等を用いてカード番号や個人秘密情報等を検索し、これらカード番号、個人秘密情報、購入希望商品の価格の合計額等をカード会社処理装置５に送信して与信調査を依頼する。
【００９７】このカード会社処理装置５は、サーバ１からの与信調査依頼を受け、そのユーザに対して受付け番号を付し、購入希望商品の合計額やユーザの個人情報等の情報に基づいてユーザに対する与信調査、例えばカードの有効期限内であるかどうか、損失カードであるか否か、盗まれたカードか否か、カード利用限度額以内であるか否か等の与信調査を行い、その与信調査結果をサーバ１に返送する。
【００９８】なお、ユーザに対して受付け番号は、与信調査依頼時に返送されてくるので、サーバ１は受付け番号を直ちにショッピング用端末装置３−１に返送する。このショッピング用端末装置３−１は、受信したユーザの受付け番号を、例えば図１５に示すようにディスプレイ１４に表示する。
【００９９】この後、サーバ１では、カード会社処理装置５からの与信調査結果を受けると、この与信調査結果に基づいてユーザの商品の購入可能か又は不可能かを審査し、この審査結果、例えば商品の購入可能のメッセージをショッピング用端末装置３−１に対して送信する。
【０１００】このユーザが商品購入可能な場合、サーバ１は、購入希望商品情報に基づいて商品を発注する商品販売店の端末４に対して発注情報を送信する。この発注情報を受け取った商品販売店は、商品の発注情報を確認し、その商品をショッピング用端末装置３−１のユーザに発送する。そして、ユーザは、銀行を介してカード会社に商品の金額を自動的に振り込む。」（段落【００８９】ないし【０１００】）
　
（２）上記（１）（ａ）ないし（ｇ）及び図面の記載から分かること
　
（イ）上記（１）（ｃ）ないし（ｆ）の記載によれば、主幹会社に配置されたサーバ１は、常にインターネット２上に複数の商品を含む商品情報を送信しており、ショッピング用端末装置３−１〜３−ｎは、サーバ１からの商品情報を受信し、そのディスプレイ１３には、商品情報に含まれている複数の書籍の一覧が表示されることから、技術常識に照らせば、サーバ１には、書籍という商品の情報を蓄積したデータベース（以下、「商品情報データベース」という。）が含まれているものといえる。
　
（ロ）上記（１）（ｆ）及び（ｇ）並びに図７、９、１２及び１４の記載によれば、ユーザは、ディスプレイ１３に表示される書籍の一覧からマウス１６等を操作して所望する書籍を選択すると、図７に示すような書籍の内容等を示す情報が表示され、ユーザが「ショッピングバックに入れる」選択項目を選択すると、これがサーバ１側に送信され、サーバ１の仮買い物部１９は、ショッピングバック内に書籍「○△○△物語」を購入希望商品の情報として入れ、かつ現在のショッピング状況を示す仮買い物情報として一時的にメモリ２３に保持し、再び、ユーザが「ショッピングバックを見る」選択項目を選択すると、ショッピング用端末装置３−１のディスプレイ１３には、図９に示す現在までのショッピング状況がディスプレイ１３に表示されるのであり、ここで、ユーザが「申込書記入」の選択項目を選択すると、これがサーバ１側に送信され、サーバ１の仮買い物部１９は、図１２に示すような申込書としての会員＆商品発送情報入力をショッピング用端末装置３−１に送信し、ディスプレイ１３には、かかる会員＆商品発送情報入力がディスプレイ１３に表示され、この会員＆商品発送情報入力へのキー入力が終了し、ユーザが「申込書確認」を選択すると、これがサーバ１側に送信され、所定の手続を経てから、仮買い物部１９は、図１４に示すような商品リストをショッピング用端末装置３−１に送信し、この端末装置３−１のディスプレイ１３に表示させ、ショッピング用端末装置３−１のディスプレイ１３に表示された商品リストにおいて、ユーザが「申し込み」選択項目を選択すると、これがサーバ１側に送信され、所定の手続を経てから、このユーザが商品購入可能な場合、サーバ１は、購入希望商品情報に基づいて商品を発注する商品販売店の端末４に対して発注情報を送信し、この発注情報を受け取った商品販売店は、商品の発注情報を確認し、その商品をショッピング用端末装置３−１のユーザに発送するのであるから、ショッピング用端末装置３−１は、「申し込み」選択項目の選択によって所望する書籍の発送の手続を許可するものであるといえる。
　
（ハ）上記（１）（ｇ）及び図１５の記載によれば、サーバ１は受付け番号を直ちにショッピング用端末装置３−１に返送し、このショッピング用端末装置３−１は、受信したユーザの受付け番号を、例えば図１５に示すようにディスプレイ１４に表示し、このユーザが商品購入可能な場合、サーバ１は、購入希望商品情報に基づいて商品を発注する商品販売店の端末４に対して発注情報を送信するのであるから、上記（ロ）とあわせてみると、サーバ１は、「申し込み」選択項目の選択に応じて、ユーザに「受付け番号」を通知するとともに商品販売店に商品の発注情報を送信する手段を備えているといえる。
　
（３）引用文献１に記載された発明  
　
　したがって、上記（１）及び（２）を総合すると、引用文献１には次の発明（以下、「引用文献１に記載された発明」という。）が記載されていると認められる。
　
 ＜引用文献１に記載された発明＞  
　
　「通信網としてインターネット２を介して接続されるユーザ側となるショッピング用端末装置３−１〜３−ｎと主幹会社のサーバ１とからなる電子ショッピングシステムであって、
　商品情報データベースを含む主幹会社のサーバ１と、
　商品情報データベースに提供された書籍の一覧から所望する書籍を選択し、所望する書籍について「ショッピングバックに入れる」項目を選択し、会員＆商品発送情報を入力し、更に「申し込み」選択項目の選択によって所望する書籍の発送の手続を許可するために、通信網としてインターネット２を介して主幹会社のサーバ１に接続されたユーザ側となるショッピング用端末装置３−１〜３−ｎと、を含み、
　「申し込み」選択項目の選択に応じて、ユーザに「受付け番号」を通知するとともに商品販売店に商品の発注情報を送信する手段を主幹会社に配置されたサーバ１が備えた電子ショッピングシステム。」
　
（４）引用文献２
　
　原査定の拒絶理由に引用された特開平１０−１４３５７５公報（以下、「引用文献２」という。）には、図面とともに次の事項が記載されている。
　
（ａ）「【０００１】
【発明の属する技術分野】本発明は、卸売市場、流通センタその他の入出荷処理を必要とする流通業界で使用する、設備の経済と入出荷処理の迅速化を図った入出荷処理システムに関する。」（段落【０００１】）
　
（ｂ）「【０００４】
【課題を解決するための手段】入荷者側に、入荷品の種類、等級、入数その他の伝票情報を一括して管理するホストＰＣとサーバーからなるホストサーバー部と、入荷品に添付されたバーコードを読み取り、ホストサーバー部に入荷処理を通知する入荷処理部を設け、出荷者側に、出荷品の伝票情報を入荷者側のホストサーバー部に伝送し、同伝票情報に基づいてホストサーバー部が作成して出荷者側に伝送するバーコード付き出荷伝票情報によりバーコード付き出荷伝票を作成して出荷品に添付する出荷処理部を設けて、入出荷品の伝票情報をホストサーバー部１ヶ所で管理し、出荷伝票の内容をバーコード情報として入荷者側から出荷者側に送付するようにして、出荷者側でのバーコード生成のための設備を不要とするとともに、バーコードの作成を迅速にし作成の誤りを無くす。また、入荷者側での入荷品のコードの手入力をなくして、入荷処理の迅速化と正確化を図る。
【０００５】
【発明の実施の形態】入荷者側に、入荷品の種類、等級、入数その他の伝票情報を一括して管理するホストＰＣとサーバーからなるホストサーバー部と、入荷品に添付されたバーコードを読み取り、ホストサーバー部に入荷処理を通知する入荷処理部を設け、出荷者側に、出荷品の伝票情報を前記入荷者側のホストサーバー部に伝送し、同伝票情報に基づいて同ホストサーバー部が作成して伝送するバーコード付き出荷伝票情報によりバーコード付き出荷伝票を作成して出荷品に添付する出荷処理部を備え、入出荷品の伝票情報をホストサーバー部１ヶ所で管理し、出荷伝票の内容をバーコード情報として入荷者側から出荷者側に送付するようにする。
【０００６】出荷処理部は、モデム付きＰＣ及びプリンタから構成して、電話回線を介してＰＣに入力された出荷品の伝票情報を入荷者側のホストサーバー部に伝送し、同ＰＣにホストサーバー部から伝送されるバーコード付き出荷伝票情報によりプリンタを用いてバーコード付き出荷伝票を作成して出荷品に添付する。」（段落【０００４】ないし【０００６】）
　
（ｃ）「【００１０】入荷処理部には、バーコードリーダ付きＰＣを備え、出荷者側からの入荷品に添付されたバーコード付き出荷伝票のバーコードをバーコードリーダで読み取り、ＰＣによりＬＡＮ（Local Area Network）等の伝送網を介してホストサーバー部に通知する。
【００１１】入荷処理部には、読み取ったバーコード情報を無線で伝送するバーコードリーダ付き携帯端末と、その伝送されたバーコード情報を受信してホストサーバー部に転送するデータ受信端末を備え、バーコードリーダ付き携帯端末で出荷者側からの入荷品に添付されたバーコード付き出荷伝票のバーコードを読み取り、データ受信端末からＬＡＮ等の伝送網を介してホストサーバー部に通知する。」（段落【００１０】及び【００１１】）
　
（ｄ）「【００１２】
【実施例】図１は、本発明による入出力処理システムの１実施例のシステムブロック図である。また、図２は、同システムで使用するバーコード付き出荷伝票の概念図である。入荷者側のホストサーバー部２０にはホストＰＣ２１とサーバー２３を備えて、入荷品の種類、等級、入数その他の伝票情報を一括して管理する。一方、出荷者側の出荷処理部１０には、モデム１２付きのＰＣ１１と、ＰＣ１１から印刷出力するプリンタ１３を設ける。出荷者は、出荷品が確定した時点で、ＰＣ１１の表示部１１ｃの画面を見ながらＰＣ１１に付属したキーボード等の入力部１１ｂからＭＰＵ１１ａに出荷品の種類、等級、入数などの伝票情報を入力してメモリ１１ｄに記憶する。
【００１３】伝票情報の入力は、前回または過去の出荷品目の伝票情報を、出荷者側のＰＣ１１のメモリ１１ｄに保存しておき、これを読み出して修正するようにすると簡単に行える。あるいは、入荷者側のホストサーバー部２０のサーバー２３の伝票情報記憶部２３ａに保存してある情報から、モデム１２により電話回線Ｌ１、モデム２２、ホストＰＣ２１を通して入手するようにして、ＰＣ１１のメモリの容量を軽減することもできる。
【００１４】出荷処理部１０のＰＣ１１で、出荷品の種類、等級、入数などの伝票情報が確定すると、モデム１２により電話回線Ｌ１を介してホストサーバー部２０のモデム２２により、ホストＰＣ２１にその伝票情報を伝送する。出荷品の伝票情報を受けたホストＰＣ２１では表示部２１ｃの画面を見ながら入力部２１ｂからＭＰＵ２１ａに指示して、サーバー２３の伝票情報記憶部２３ａから同伝票情報に基づいて必要な情報を入手して、バーコードのパターン等の出荷品に添付するバーコード付き出荷伝票４０用のデータを作成する。作成したバーコード付き出荷伝票用データは、モデム２２、電話回線Ｌ１により出荷処理部１０のモデム１２を介して、出荷処理部１０に伝送する。出荷処理部１０ではＰＣ１１でこれを受信し、プリンタ１３に出力して出荷品の種類、等級、入数量の伝票情報を印字するとともに、これらの情報をバーコード４０ａで表現したバーコード付き出荷伝票４０を作成する。作成したバーコード付き出荷伝票４０は出荷品に添付して入荷者側に送付する。
【００１５】入荷者側では、入荷品に添付されたバーコード付き出荷伝票４０のバーコード４０ａを入荷処理部３０のバーコードリーダ３３で読み取り、ＰＣ３１の入力部３１ｂから起動されたＭＰＵ３１ａでインターフェイス３２、ＬＡＮ等の通信網Ｌ２を通して、ホストサーバー部２０のインターフェイス２４によりサーバー２３に伝送する。サーバー２３の入荷処理支援部２３ｂでは、入荷処理部３０から伝送されたバーコードで表された入荷情報から、そのコードに相当する入荷品の種類等の情報を入荷処理部３０に伝送し、ＰＣ３１の表示部３１ｃの画面に表示して入荷品の確認等を支援する。さらに、サーバー２３の伝票情報管理部２３ｃでは、上記の入荷処理部３０から伝送されたバーコード付き出荷伝票４０から得られた入荷情報により、入荷品の種類、等級、入数その他の伝票情報を更新して、入出荷処理を一括して管理する。」（段落【００１２】ないし【００１５】）
　
（ｅ）「【００２０】入荷者側に、入荷品の種類、等級、入数その他の伝票情報を一括して管理するホストＰＣとサーバーからなるホストサーバー部と、入荷品に添付されたバーコードを読み取り、ホストサーバー部に入荷処理を通知する入荷処理部を設け、出荷者側に、出荷品の伝票情報を入荷者側のホストサーバー部に伝送し、同伝票情報に基づいてホストサーバー部が作成して出荷者側に伝送するバーコード付き出荷伝票情報によりバーコード付き出荷伝票を作成して出荷品に添付する出荷処理部を設けて、入出荷品の伝票情報をホストサーバー部１ヶ所で管理し、出荷伝票の内容をバーコード情報として入荷者側から出荷者側に送付するようにすることで、出荷者側でのバーコード生成のための設備が不要となるため経済的である。また、バーコードのデータはホストサーバーからもらって出力するだけなので、迅速で、かつ、誤り無くバーコードを作成することができる。入荷者側では、入荷品のコードの手入力が不要となり省力化できるとともに、入荷処理の迅速化と正確化を図ることができる。」（段落【００２０】）
　
（ｆ）「【００２５】入荷処理部には、バーコードリーダ付きＰＣを備え、出荷者側からの入荷品に添付されたバーコード付き出荷伝票のバーコードをバーコードリーダで読み取り、ＰＣによりＬＡＮ等の伝送網を介してホストサーバー部に通知することで、確実な入荷処理が可能となる。
【００２６】入荷処理部には、読み取ったバーコード情報を無線で伝送するバーコードリーダ付き携帯端末と、その伝送されたバーコード情報を受信してホストサーバー部に転送するデータ受信端末を備え、バーコードリーダ付き携帯端末で出荷者側からの入荷品に添付されたバーコード付き出荷伝票のバーコードを読み取り、データ受信端末からＬＡＮ等の伝送網を介してホストサーバー部に入荷処理を通知するようにすることで、バーコードリーダを容易に移動してバーコード読み取りができるようになり便利である。」（段落【００２５】及び【００２６】）
　
（５）引用文献２に記載された発明　
　
　上記（４）及び図面の記載を総合すると、引用文献２には次の発明（以下、「引用文献２に記載された発明」という。）が記載されていると認められる。
　
 ＜引用文献２に記載された発明＞  
　
　「卸売市場や流通センタ等における入出荷処理システムにおいて、入荷者側に、入荷品の種類、等級、入数その他の伝票情報を一括して管理するホストＰＣ２１とサーバー２３からなるホストサーバー部２０と、入荷品に添付されたバーコードを読み取り、ホストサーバー部２０に入荷処理を通知する入荷処理部３０を設け、出荷者側に、出荷品の伝票情報を入荷者側のホストサーバー部２０に伝送し、該伝票情報に基づいてホストサーバー部２０が作成するバーコード付き出荷伝票用データを受信し、該データに基づいてバーコード付き出荷伝票を作成して商品に添付する出荷処理部１０を設けて、入出荷品の伝票情報をホストサーバー部２０で一括して管理し、出荷伝票の内容をバーコード情報として入荷者側から出荷者側に送付するように構成し、また、入荷処理部３０に備えたバーコードリーダ３３により入荷品に添付された伝票のバーコードを読み取ることにより、その情報をホストサーバー部２０のサーバー２３に伝送するとともにホストサーバー部２０からバーコードに相当する入荷品の種類等の情報を入荷処理部３０に伝送して入荷処理部３０の表示部３１ｃに入荷品の種類等を表示するようにし、入荷品の確認等を行なうことができるようにした入出荷処理システム。」
　
２．対比・判断
　
　本件補正発明と引用文献１に記載された発明とを対比すると、引用文献１に記載された発明における「主幹会社のサーバ１」、「ユーザ側となるショッピング用端末装置３−１〜３−ｎ」、「通信網としてインターネット２」、「商品情報データベース」、「書籍の一覧から所望する書籍を選択」、「所望する書籍について「ショッピングバックに入れる」項目を選択し、会員＆商品発送情報を入力」は、それらの機能及び技術的意義からみて、それぞれ、本件補正発明における「供給者のディジタルプロセッサ」、「顧客のディジタルプロセッサ」、「通信リンク」、「製品データベース」、「項目を選択」、「購入注文に関する購入及び出荷情報を入力」に相当する。
　また、引用文献１に記載された発明における「「申し込み」選択項目の選択によって所望する書籍の発送の手続を許可する」は、その技術的意義からみて、本件補正発明における「許可指令によって購入注文の即時出荷を許可する」に相当し、同様に、引用文献１に記載された発明における「「申し込み」選択項目の選択」は、本件補正発明における「許可指令」に相当する。
　また、引用文献１に記載された発明における「電子ショッピングシステム」と本件補正発明における「システム」とは、顧客であるユーザと供給者である主幹会社との間を通信リンクで接続して、物品を購入及び出荷あるいは発送するシステムという点で、軌を一にするものであるから、引用文献１に記載された発明における「電子ショッピングシステム」は、「システム」という限りにおいて、本件補正発明における「システム」に相当する。
　
　したがって、本件補正発明と引用文献１に記載された発明は、
「システムであって、
　製品データベースを含む供給者のディジタルプロセッサと、
　製品データベースに提供された項目を選択し、購入注文に関する購入及び出荷情報を入力し、更に許可指令によって購入注文の即時出荷を許可するために、通信リンクを介して供給者のディジタルプロセッサに接続された顧客のディジタルプロセッサと、を含む、
システム。」である点で一致し、次の点において相違する。
　
＜相違点＞
「システム」に関し、
　本件補正発明においては、「単一のバーコード荷札を使用して供給者と顧客との間の出荷及び受領情報を整合するシステム」であり、「許可指令に応じて、購入注文に関する複数の予め決定された適切な購入及び出荷情報に関連する単一のバーコードを含む荷札を生成するために、供給者のディジタルプロセッサに接続されたバーコード生成手段を含み、供給者のディジタルプロセッサ又は顧客のディジタルプロセッサによりバーコードを走査することにより製品データベースにアクセスし購入及び出荷情報と出荷された購入注文品とを照合する」のに対し、
　引用文献１に記載された発明においては、「単一のバーコード荷札を使用して供給者と顧客との間の出荷及び受領情報を整合するシステム」であるか否か明らかでなく、本件補正発明における「許可指令」に相当する「「申し込み」選択項目の選択」に応じて、ユーザに「受付け番号」を通知するとともに商品販売店に商品の発注情報を送信する手段を供給者のディジタルプロセッサが備えているものの、「許可指令に応じて、購入注文に関する複数の予め決定された適切な購入及び出荷情報に関連する単一のバーコードを含む荷札を生成するために、供給者のディジタルプロセッサに接続されたバーコード生成手段を含み、供給者のディジタルプロセッサ又は顧客のディジタルプロセッサによりバーコードを走査することにより製品データベースにアクセスし購入及び出荷情報と出荷された購入注文品とを照合する」か否か明らかでない点（以下、「相違点」という。）。
　
　上記相違点について検討する。
　
　まず、引用文献１に記載された発明における「ユーザに「受付け番号」を通知」することの意味について考察すると、商品の注文及び発送を含む商取引の商慣行に照らせば、ユーザは、通知された「受付け番号」を利用して、購入を希望した商品が未だ届いていないときに、その発送状況を主幹会社に問い合わせたり、届いた商品が購入を希望した商品とは異なる品目であったときに、誤発送であることを主幹会社に申し入れたりすることが明らかであるから、引用文献１に記載された発明における「受付け番号」は、商品の発送や品目等の情報にアクセスするための機能を持つものであるといえる。
　ここで、商品の発送において、商品を発送する際に、（商品を収容した）配送物に受付け番号を付した荷札を添付することは、ごく普通に行われていることである（例えば、特開平１０−１２９８１１号公報等参照。）。
　また、商品の注文及び発送を含む商取引において、商品を発送する際に、（商品を収容した）配送物に添付する荷札について、商品の品目等に関する情報を示すバーコードを使用することは、本件出願の優先日前周知の技術（例えば、特開平１０−１８７８４３号公報［特に、段落【００１３】及び図２］、特開平８−１６６７２号公報［特に、段落【００１１】及び段落【００２３】ないし【００２７】並びに図２及び３］、特開平３−２０８９７号公報［特に、第３ページ左上欄第４行ないし第４ページ右上欄第１１行］等参照。以下、「周知技術」という。）である。
　一方、引用文献２に記載された発明は、上記１．（５）のとおりであり、引用文献２に記載された発明における「入出荷処理システム」は、出荷者側となる複数の出荷処理部１０と単一の入荷者側となるホストサーバー部２０及び入荷処理部３０とで構成され、入荷者側において入出荷処理システムの中心となる役割を果たすことから、入荷者側に、入出荷される商品の種類、等級、入数その他の伝票情報を一括して管理するホストサーバー部２０を配置し、複数の出荷者側からの出荷品やその情報を一括して管理するように構成されているものである。
　そうしてみると、引用文献２に記載された発明における「入出荷処理システム」の中心となる役割を果たすホストサーバー部２０は、入出荷における相手方となる出荷者側から伝送される出荷品の伝票情報に基づいて、バーコード付き出荷伝票用データを作成し、そのデータを相手方に送信しているのであるから、入出荷を管理する側であるホストサーバー部２０は、入出荷情報に関連する単一のバーコードを含む荷札を作成するためのバーコード生成手段を備えているものといえる。（以下、「考察１」という。）
　また、引用文献２に記載された発明における「入出荷処理システム」は、入荷処理部３０に備えたバーコードリーダ３３により入荷品に添付された伝票のバーコードを読み取ることにより、その情報をホストサーバー部２０のサーバー２３に伝送するとともにホストサーバー部２０からバーコードに相当する入荷品の種類等の情報を入荷処理部３０に伝送して入荷処理部３０の表示部３１ｃに入荷品の種類等を表示するようにし、入荷品の確認等を行なうことができるものであり、上記１．（４）（ｅ）に記載したとおり、入荷者側では、入荷品のコードの手入力が不要となり省力化できるとともに、入荷処理の迅速化と正確化を図ることができ、上記１．（４）（ｆ）に記載したとおり、確実な入荷処理が可能となるのであるから、引用文献２に記載された発明における「入荷品の確認等」とは、入荷品情報と入荷品との確認及び照合を意味するものと解釈することが自然であるので、引用文献２に記載された発明における「入出荷処理システム」は、入出荷を管理する側のディジタルプロセッサの一部をなす入荷処理部３０によりバーコードを走査することにより入出荷を管理する側のディジタルプロセッサの一部をなすホストサーバー部２０のデータベースにアクセスして入荷品情報を表示させ、入荷品情報と入荷品との確認及び照合を行うものであるということができる。（以下、「考察２」という。）
　そして、考察１及び２をあわせてみると、引用文献２に記載された発明における「単一のバーコードを含む荷札」は、その使用により、出荷者と入荷者との間の出荷及び入荷情報を整合しているものといえる。（以下、「考察３」という。）
　したがって、前述の考察１ないし３を考慮すると、引用文献２に記載された発明から、以下の技術を導き出すことができる。
　「入出荷処理システムにおいて、その中心となる役割を果たす入出荷を管理する側に入出荷情報に関連する単一のバーコードを含む荷札を作成するためのバーコード生成手段を備え、該管理する側のディジタルプロセッサによりバーコードを走査することにより入出荷を管理する側のデータベースにアクセスして入荷品情報を表示させ、入荷品情報と入荷品との確認及び照合を行う、単一のバーコードを含む荷札を使用して出荷者と入荷者との間の出荷及び入荷情報を整合するシステム。」（以下、「引用文献２の技術」という。）
　そこで、再び、引用文献１に記載された発明について考察すると、引用文献１に記載された発明において、その中心となる役割を果たす入出荷を管理する側は、「主幹会社」であることが明らかであり、また、引用文献１に記載された発明における「電子ショッピングシステム」と、引用文献２の技術における「入出荷処理システム」とは、出荷者と供給者との間を通信リンクで接続して、物品を出荷あるいは発送するシステムという点で、軌を一にするものである。
　してみると、引用文献１に記載された発明において、「発送」（本件補正発明における「出荷」に相当。）に際して、周知技術を考慮して、「受付け番号」に代えて「バーコード」を使用した荷札を採用し、物品を出荷あるいは発送するシステムにおける、入荷品情報と入荷品との確認及び照合を行うために、単一のバーコードを含む荷札を使用する技術である引用文献２の技術を適用して、上記相違点に係る本件補正発明の発明特定事項とすることは、当業者であれば容易に想到できたことである。
　
　そして、本件補正発明は、全体としてみても、引用文献１に記載された発明及び引用文献２の技術並びに周知技術から、予測される以上の格別な効果を奏するものではない。 
 　 
　したがって、本件補正発明は、引用文献１に記載された発明及び引用文献２の技術並びに周知技術に基いて、当業者が容易に発明をすることができたものであるから、特許法第２９条第２項の規定により、特許出願の際に独立して特許を受けることができないものである。 
　
３．むすび
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
　
　よって、結論のとおり決定する。  
　
第３　本件発明について  
 　 
１．手続の経緯及び本件発明
　
　平成２３年１月１３日付けの手続補正は前述したとおり却下されたので、本件出願の請求項１ないし１０に係る発明は、平成２２年３月４日付けの手続補正書によって補正された明細書及び図面の記載からみて、特許請求の範囲の請求項１ないし１０に記載された事項により特定されるものであり、そのうち、請求項７に係る発明（以下、「本件発明」という。）は、上記第２［理由］［１］（ａ）に示した請求項７に記載されたとおりのものである。
　
２．引用文献
　
　原査定の拒絶理由に引用された引用文献１（特開平１０−２０７９６３公報）及び引用文献２（特開平１０−１４３５７５公報）には、上記第２［理由］［３］１．（１）ないし（５）のとおりのものが記載されている。
　
３．対比・判断
　
　本件発明は、上記第２［理由］［２］で検討した本件補正発明から「前記供給者のディジタルプロセッサ又は前記顧客のディジタルプロセッサにより前記バーコードを走査することにより前記製品データベースにアクセスし前記購入及び出荷情報と出荷された前記購入注文品とを照合する」という発明特定事項を省いたものに相当する。
　そして、本件発明の発明特定事項を全て含む本件補正発明が、上記第２［理由］［３］に記載したとおり、引用文献１に記載された発明及び引用文献２の技術並びに周知技術に基いて、当業者が容易に発明をすることができたものであるから、本件発明も、同様の理由により、引用文献１に記載された発明及び引用文献２の技術並びに周知技術に基づいて当業者が容易に発明をすることができたものである。
　
　そして、本件発明は、全体としてみても、引用文献１に記載された発明及び引用文献２の技術並びに周知技術から予測される以上の格別な効果を奏するものではない。
　
４．むすび 
　
　以上のとおり、本件発明は、引用文献１に記載された発明及び引用文献２の技術並びに周知技術に基いて、当業者が容易に発明をすることができたものであるから、特許法第２９条第２項の規定により特許を受けることができない。
　
　よって、結論のとおり審決する。